(57)【要約】【課題】２次元再生信号をビタビ復号する際、その信号品質を信頼性高く評価することができる、エラーレートと同等な評価値を算出する。【解決手段】入力信号に所定のパーシャルレスポンス特性を想定したビタビ復号を行うことにより、正解パスと、誤りパスとのパスメトリック差を出力する２次元ＳＡＭ検出回路４と、２次元ＳＡＭ検出回路４から出力された複数のＳＡＭ値から、ＳＡＭ値を得た前記入力信号に対応する理想ＳＡＭ値が所定の値範囲に属するＳＡＭ値を抽出する抽出部４５と、抽出部４５によって抽出されたＳＡＭ値の群に基づいて、前記入力信号の品質評価値を算出する品質評価回路５０とを備える。【選択図】図１
2008305457.tif 000002
【特許請求の範囲】
【請求項１】
入力信号の品質評価値を出力する信号評価装置において、
前記入力信号に所定のパーシャルレスポンス特性を想定したビタビ復号を行うことにより、正解パスと誤りパスとのパスメトリック差を出力するビタビ復号手段と、
前記ビタビ復号手段から出力された複数のパスメトリック差から、パスメトリック差を得た前記入力信号に対応する理想パスメトリック差が所定の値範囲に属するパスメトリック差を抽出する抽出手段と、
前記抽出手段によって抽出されたパスメトリック差の群に基づいて、前記入力信号の品質評価値を算出する品質評価手段と、を備えることを特徴とする信号評価装置。
【請求項２】
前記品質評価手段は、前記抽出されたパスメトリック差の群の度数分布の広がりの程度を表す統計値を算出し、該統計値から前記入力信号の品質評価値を算出することを特徴とする請求項１に記載の信号評価装置。
【請求項３】
前記品質評価手段は、前記統計値として、前記抽出されたパスメトリック差の群の標準偏差を算出し、前記品質評価値として、前記標準偏差と前記抽出されたパスメトリック差の群の平均値との比を算出することを特徴とする請求項１または２に記載の信号評価装置。
【請求項４】
前記品質評価手段は、前記統計値として、前記抽出されたパスメトリック差の群の標準偏差を算出し、前記品質評価値として、前記標準偏差と所定の定数値との比を算出することを特徴とする請求項１または２に記載の信号評価装置。
【請求項５】
入力信号の品質評価値を出力する信号評価装置において、
前記入力信号に所定のパーシャルレスポンス特性を想定したビタビ復号を行うことにより、正解パスと誤りパスとのパスメトリック差を出力するビタビ復号手段と、
前記ビタビ復号手段から出力された複数のパスメトリック差から、パスメトリック差を得た前記入力信号に対応する理想パスメトリック差が所定の第１の値範囲に属するパスメトリック差を抽出する第１抽出手段と、
前記ビタビ復号手段から出力された複数のパスメトリック差から、パスメトリック差を得た前記入力信号に対応する理想パスメトリック差が前記第１の値範囲とは異なる所定の第２の値範囲に属するパスメトリック差を抽出する第２抽出手段と、
前記第１および第２抽出手段によってそれぞれ抽出されたパスメトリック差の群に基づいて、前記入力信号の品質評価値を算出する品質評価手段と、を備えることを特徴とする信号評価装置。
【請求項６】
上記入力信号と対応するテストビットを、上記ビタビ復号手段において想定されたパーシャルレスポンス特性に従ってパーシャルレスポンス特性理想波形信号に変換する理想信号生成手段と、
前記理想信号生成手段によって変換された前記パーシャルレスポンス特性理想波形信号に前記パーシャルレスポンス特性に従ってビタビ復号を行うことにより、正解パスと誤りパスとのパスメトリック差である前記理想パスメトリック差を生成する理想パスメトリック差生成手段と、を備えていることを特徴とする請求項１〜５の何れか１項に記載の再生信号評価装置。
【請求項７】
前記ビタビ復号手段は、前記パスメトリック差に対応する復号ビットを、前記パスメトリック差とともに出力するものであり、かつ、
上記入力信号と対応する前記復号ビットを、前記ビタビ復号手段において想定されたパーシャルレスポンス特性に従ってパーシャルレスポンス特性理想波形信号に変換する理想信号生成手段と、
前記理想信号生成手段によって変換された前記パーシャルレスポンス特性理想波形信号に前記パーシャルレスポンス特性に従ってビタビ復号を行うことにより、正解パスと誤りパスとのパスメトリック差である前記理想パスメトリック差を生成する理想パスメトリック差生成手段と、を備えていることを特徴とする請求項１〜５の何れか１項に記載の再生信号評価装置。
【請求項８】
前記抽出手段は、
前記ビタビ復号手段から出力されるパスメトリック差に対応付けて、該パスメトリック差を得た前記入力信号に対応する理想パスメトリック差が所定の値範囲に属するか否かを示すフラグマップを予め格納した格納部を備え、
前記フラグマップに基づいて、前記ビタビ復号手段から出力されたパスメトリック差を抽出するか否かを決定することを特徴とする請求項１に記載の信号評価装置。
【請求項９】
入力信号の品質評価値を出力する信号評価方法において、
前記入力信号に所定のパーシャルレスポンス特性を想定したビタビ復号を行うことにより、正解パスと誤りパスとのパスメトリック差を出力するビタビ復号ステップと、
前記ビタビ復号ステップにて出力したパスメトリック差から、該パスメトリック差を得た前記入力信号に対応する理想パスメトリック差が所定の値範囲に属するパスメトリック差を抽出する抽出ステップと、
前記抽出ステップにて抽出したパスメトリック差の群に基づいて、前記入力信号の品質評価値を算出する品質評価ステップと、を含むことを特徴とする信号評価方法。
【請求項１０】
請求項１から８のいずれか１項に記載の信号評価装置を動作させる信号評価プログラムであって、コンピュータを上記の各手段として機能させるための信号評価プログラム。
【請求項１１】
請求項１０に記載の信号評価プログラムを記録しているコンピュータ読み取り可能な記録媒体。
【発明の詳細な説明】
【技術分野】
【０００１】
本発明は、ホログラムメモリ再生信号などの２次元信号をビタビ復号する装置において、２次元信号の信号品質を評価する信号評価装置、信号評価方法、信号評価プログラム、およびコンピュータ読み取り可能な記録媒体に関する。
【背景技術】
【０００２】
近年、ホログラフィを用いて情報を２次元的に、すなわちページデータとして記録し再生するホログラムメモリが、次世代の高密度記録再生システムとして脚光を浴びつつある。図１７に示すように、このシステムでは、情報データを記録する場合には、複数の画素よりなる空間光変調器６０（例えば液晶パネルなど）を用いて、記録すべき情報データに基づいて記録信号光を空間光変調し、レンズ６１を通した記録信号光とコヒーレントな記録参照光とを干渉させることにより２次元的な干渉縞を生成し、この干渉縞により形成される像を２次元情報としてホログラム媒体６２に記録する。ホログラム媒体６２としては、ニオブ酸リチウムに代表される無機系のフォトリフラクティブ結晶を用いた書き換え型媒体や、有機高分子材料であるフォトポリマーを用いた追記型媒体がある。
【０００３】
一方、記録された干渉縞をホログラム媒体６２から読み出すことにより情報データを再生する場合には、ホログラム媒体６２に対して記録参照光と同じ入射角度にて再生参照光を照射して生成される反射光あるいは透過光を、レンズ６３を通して複数の画素を有する受光素子６４（例えばＣＣＤなど）で受光して再生信号を生成し、生成された再生信号を用いて元の情報データを再生する。このように２次元のページデータ単位で再生が行われるため、１次元で再生を行う従来の光ディスクよりも再生速度を大幅に向上することが可能となる。
【０００４】
ところで、ホログラムメモリシステムにおいては、その記録過程及び再生過程において種々の雑音が混入する（特に、記録媒体の不均質性に起因して雑音が発生する場合が多い）ことがあり、この雑音の影響で信号品質が悪化する。また、隣接する画素からの再生信号の影響、すなわち画素間干渉の発生もあり、これによっても信号品質が悪化する。
【０００５】
そこで従来、雑音および画素間干渉の影響を低減して、正確に情報を再生する手法が検討されている。なかでも、受光素子から出力される再生信号をビタビ復号する手法が研究されている。
【０００６】
特許文献１には、判定帰還ビタビ復号法が開示されている。この方法はビタビ復号の一手法であり、Decision Feedback Viterbi Algorithmと呼ばれる。
【０００７】
一方、１次元的な再生信号をビタビ復号するシステムとして、ハードディスクや光ディスクなどがある。このようなシステムでは、再生信号の品質を評価するための評価値として、ＳＡＭ（Sequenced Amplitude Margin）と呼ばれる値が提案されている。ＳＡＭ値そのものは再生信号の局所的な品質を判断するのに用いることができるが、再生信号全体の品質を評価するためにはＳＡＭ値の度数分布に基づいて判断する必要がある。１次元の再生信号の場合、ＳＡＭ値の度数分布は複数の離散的な理想ＳＡＭ値を平均値とする正規分布が合わさった形状となる。また、理想ＳＡＭ値とは、想定するパーシャルレスポンス（ＰＲ）特性の理想波形信号について求めたＳＡＭ値のことである。この複数の正規分布のうち、エラー発生の原因となりやすいもの、すなわち理想ＳＡＭ値が小さいものだけを分類して取り出した上で、正規分布の確率密度分布関数の特性に基づいて平均値と標準偏差の比などエラーレートと理論的に同等な品質評価値を算出したり（特許文献２、３）、推定エラーレートを算出する（特許文献４）手法が提案されている。
【特許文献１】米国特許第５、７４０、１８４号公報（１９９８年４月１４日発行）
【特許文献２】特開平１０−２１６５１号公報（公開日１９９８年１月２３日）
【特許文献３】特開２００３−１４１８２３号公報（公開日２００３年５月１６日）
【特許文献４】特開２００３−２７２３０４号公報（公開日２００３年９月２６日）
【発明の開示】
【発明が解決しようとする課題】
【０００８】
以上説明したように、１次元の再生信号をビタビ復号するシステムにおいては、再生信号のエラーレートと同等な信号品質評価値をＳＡＭ値の度数分布から算出する手法が提案されている。しかし、２次元信号のＳＡＭ値に基づいてエラーレートと同等な信号品質評価値を算出する手法として、上記特許文献２から４のような従来手法をそのまま適用することは、下記の問題により不可能であった。
【０００９】
特許文献２から４はいずれも、１次元の再生信号をビタビ復号するシステムであり、特にエラーを起こしやすい特定パターン（すなわち、値の小さい特定の理想ＳＡＭ値に対応するパターン）を予め調べ上げておき、記録ビットからこの特定パターンを検出する構成が必須である。これらの特定パターンの種類は数種類から多くても数十種類であり、対応する理想ＳＡＭ値の種類も１種類から多くても３種類程度であった。
【００１０】
一方、トレリス線図が１次元に比べて複雑である２次元のビタビ復号におけるＳＡＭ値の場合、特にエラーを起こしやすい特定パターンの種類が非常に多くなるため、特定パターンを検出する構成を装置で実現しようとすると、回路規模が極めて大規模なものとなってしまうため、現実的には不可能である。
【００１１】
本発明は上記の課題に鑑みてなされたものであり、その目的は、２次元再生信号をビタビ復号する際、その信号品質を信頼性高く評価することができる、エラーレートと同等な評価値を算出する信号評価装置および信号評価方法、信号評価プログラム、コンピュータ読み取り可能な記録媒体を提供することにある。
【課題を解決するための手段】
【００１２】
本発明に係る信号評価装置は、上記課題を解決するために、入力信号の品質評価値を出力する信号評価装置において、前記入力信号に所定のパーシャルレスポンス特性を想定したビタビ復号を行うことにより、正解パスと、誤りパスとのパスメトリック差を出力するビタビ復号手段と、前記ビタビ復号手段から出力された複数のパスメトリック差から、パスメトリック差を得た前記入力信号に対応する理想パスメトリック差が所定の値範囲に属するパスメトリック差を抽出する抽出手段と、前記抽出手段によって抽出されたパスメトリック差の群に基づいて、前記入力信号の品質評価値を算出する品質評価手段と、を備えることを特徴としている。
【００１３】
また、本発明に係る信号評価方法は、上記課題を解決するために、入力信号の品質評価値を出力する信号評価方法において、前記入力信号に所定のパーシャルレスポンス特性を想定したビタビ復号を行うことにより、正解パスと、誤りパスとのパスメトリック差を出力するビタビ復号ステップと、前記ビタビ復号ステップにて出力したパスメトリック差から、該パスメトリック差を得た前記入力信号に対応する理想パスメトリック差が所定の値範囲に属するパスメトリック差を抽出する抽出ステップと、前記抽出ステップにて抽出したパスメトリック差の群に基づいて、前記入力信号の品質評価値を算出する品質評価ステップと、を含むことを特徴としている。
【００１４】
ここで、所定のパーシャルレスポンス特性とは、前記理想パスメトリック差を算出するために使用され、例えば、３行３列の行列で表される２次元インパルス応答として表現される。
【００１５】
また、所定の値範囲とは、想定するパーシャルレスポンス特性に対して定める所定値であり、前記理想パスメトリック差が属する群に分類するための範囲を規定するものである。
【００１６】
これにより、前記抽出手段は、ビタビ復号手段によりビタビ復号された入力信号であるパスメトリック差のうち、前記抽出した理想パスメトリック差に対応するパスメトリック差の群のみを抽出することができる。このため、前記品質評価手段は、前記ビタビ復号手段によりビタビ復号されたパスメトリック差のうち、前記抽出手段により抽出された理想パスメトリック差に対応するパスメトリック差の群の品質評価値を算出することができる。
【００１７】
すなわち、上記品質評価値は、上記入力信号であるパスメトリック差のうち、上記所定の値範囲に属するパスメトリック差のみから算出される。
【００１８】
このため、上記品質評価値を算出するために、上記入力信号であるパスメトリック差すべてを演算の対象とする必要がない。
【００１９】
したがって、２次元再生信号の記録再生に用いられる記録媒体や記録装置や再生装置などの性能を信頼性を維持しつつ、効率よく評価できるようになり、出荷前の製品の合否判定や各種調整を適切に行うことができるようになる。
【００２０】
また、本発明に係る信号評価装置は、前記品質評価手段が、前記抽出されたパスメトリック差の群の度数分布の広がりの程度を表す統計値を算出し、該統計値から前記入力信号の品質評価値を算出することが好ましい。
【００２１】
前記度数分布の広がりの程度を表す統計値は、上記入力信号の品質評価値と相関が強い。従って、前記品質評価手段は、信頼性を維持しつつ、効率よく前記入力信号の品質評価値を算出することができる。
【００２２】
また、本発明に係る信号評価装置は、前記品質評価手段が、前記統計値として、前記抽出されたパスメトリック差の群の標準偏差を算出し、前記品質評価値として、前記標準偏差と、前記抽出されたパスメトリック差の群の平均値との比を算出することが好ましい。
【００２３】
これにより、入力信号のパスメトリック差の度数分布の平均値と標準偏差に基づいてエラーレートと理論的に対応する品質評価値を算出することができるようになる。
【００２４】
また、本発明に係る信号評価装置は、前記品質評価手段が、前記統計値として、前記抽出されたパスメトリック差の群の標準偏差を算出し、前記品質評価値として、前記標準偏差と、所定の定数値との比を算出することが好ましい。
【００２５】
所定の定数値とは、任意で設定することができるが、例えば、対応する群の理想パスメトリック差の平均値を予め求めておいて用いることができる。これにより、平均値を求める機能を省略することができる。
【００２６】
また、本発明に係る信号評価装置は、上記課題を解決するために、入力信号の品質評価値を出力する信号評価装置において、前記入力信号に所定のパーシャルレスポンス特性を想定したビタビ復号を行うことにより、正解パスと、誤りパスとのパスメトリック差を出力するビタビ復号手段と、前記ビタビ復号手段から出力された複数のパスメトリック差から、パスメトリック差を得た前記入力信号に対応する理想パスメトリック差が所定の第１の値範囲に属するパスメトリック差を抽出する第１抽出手段と、前記ビタビ復号手段から出力された複数のパスメトリック差から、パスメトリック差を得た前記入力信号に対応する理想パスメトリック差が前記第１の値範囲とは異なる所定の第２の値範囲に属するパスメトリック差を抽出する第２抽出手段と、前記第１および第２抽出手段によってそれぞれ抽出されたパスメトリック差の群に基づいて、前記入力信号の品質評価値を算出する品質評価手段と、を備えることを特徴としている。
【００２７】
これにより、上記品質評価手段は、第１の値範囲に属するパスメトリック差と、第２の値範囲に属するパスメトリック差とから上記品質評価値を算出することになる。このため、第１の値範囲に属するパスメトリック差のみから上記品質評価値を算出する場合と比較して、より正確に品質評価値を算出することができる。
【００２８】
また、本発明に係る信号評価装置は、上記入力信号と対応付けられた理想信号を上記入力信号と対応するテストビットを、上記ビタビ復号手段において想定されたパーシャルレスポンス特性に従ってパーシャルレスポンス特性理想波形信号に変換する理想信号生成手段と、前記理想信号生成手段によって変換された前記パーシャルレスポンス特性理想波形信号に前記パーシャルレスポンス特性に従ってビタビ復号を行うことにより、正解パスと、誤りパスとのパスメトリック差である前記理想パスメトリック差を生成する理想パスメトリック差生成手段と、を備えていることが好ましい。
【００２９】
これにより、２次元信号に対応する理想ＳＡＭ値を確実に特定して、２次元信号のパスメトリック差の度数分布を理想ＳＡＭ値毎に正確に分類することができる。これにより、正確な評価値を算出できる可能性をより高めることができる。
【００３０】
また、本発明に係る信号評価装置は、前記ビタビ復号手段が、前記パスメトリック差に対応する復号ビットを、前記パスメトリック差とともに出力し、上記入力信号と対応する前記復号ビットを、上記ビタビ復号手段において想定されたパーシャルレスポンス特性に従ってパーシャルレスポンス特性理想波形信号に変換する理想信号生成手段と、前記理想信号生成手段によって変換された前記パーシャルレスポンス特性理想波形信号に前記パーシャルレスポンス特性に従ってビタビ復号を行うことにより、正解パスと、誤りパスとのパスメトリック差である前記理想パスメトリック差を生成する理想パスメトリック差生成手段と、を備えていることが好ましい。
【００３１】
ここで、復号ビットは、前記ビタビ復号手段において、入力信号に対してビタビ復号を行う際、正解パスのパスメトリックを選択することに使われるものである。
【００３２】
これにより、２次元信号に対応する理想ＳＡＭ値を特定するために、別途、２次元信号に対応するビットを記憶するメモリなどを用意して、２次元信号の再生のタイミングに合わせて、それらのビットを読み出す仕組みを用意する必要がないため、簡易な構成によって２次元信号の品質評価値を算出できるようになる。
【００３３】
なお、この場合、２次元信号と理想ＳＡＭ値との対応づけが誤ってなされる可能性はあるが、その割合はほぼエラーレートに一致しており非常に小さく通常は１０−２以下であるため、平均や標準偏差などの算出結果に与える影響は極めて微小である。したがって、最終的に算出されるエラーレートなどの品質評価値に含まれる誤差は、ほとんど無視できるほど小さい。
【００３４】
また、本発明に係る信号評価装置は、前記抽出手段が、前記ビタビ復号手段から出力されるパスメトリック差に対応付けて、該パスメトリック差を得た前記入力信号に対応する理想パスメトリック差が所定の値範囲に属するか否かを示すフラグマップを予め格納した格納部を備え、前記フラグマップに基づいて、前記ビタビ復号手段から出力されたパスメトリック差を抽出するか否かを決定することが好ましい。
【００３５】
これにより、２次元信号に対応する理想ＳＡＭ値を確実に特定して、２次元信号のパスメトリック差の度数分布を理想ＳＡＭ値毎に正確に分類することができる。これにより、正確な評価値を算出できる可能性をより高めることができる効果を奏する。更に、理想ＳＡＭ値を生成するためのビタビ復号回路を別途設ける必要がないため、非常に簡易な構成によって実現することが可能となる効果を奏する。
【００３６】
なお、上記は、コンピュータによって実現してもよい。この場合、コンピュータを上記各手段として動作させることにより上記をコンピュータにおいて実現するビタビ復号プログラム、およびそのビタビ復号プログラムを記録したコンピュータ読み取り可能な記録媒体も、本発明の範疇に入る。
【発明の効果】
【００３７】
以上のように、本発明に係る信号評価装置は、入力信号に所定のパーシャルレスポンス特性を想定したビタビ復号を行うことにより、正解パスと、誤りパスとのパスメトリック差を出力するビタビ復号手段と、前記ビタビ復号手段から出力された複数のパスメトリック差から、パスメトリック差を得た前記入力信号に対応する理想パスメトリック差が所定の値範囲に属するパスメトリック差を抽出する抽出手段と、前記抽出手段によって抽出されたパスメトリック差の群に基づいて、前記入力信号の品質評価値を算出する品質評価手段と、を備える構成である。
【００３８】
また、本発明に係る信号評価方法は、入力信号に所定のパーシャルレスポンス特性を想定したビタビ復号を行うことにより、正解パスと、誤りパスとのパスメトリック差を出力するビタビ復号ステップと、前記ビタビ復号ステップから出力されたパスメトリック差から、該パスメトリック差を得た前記入力信号に対応する理想パスメトリック差が所定の値範囲に属するパスメトリック差を抽出する抽出ステップと、前記抽出ステップによって抽出されたパスメトリック差の群に基づいて、前記入力信号の品質評価値を算出する品質評価ステップと、を備える方法である。
【００３９】
それゆえ、抽出された所定の値範囲に属するパスメトリック差のみから前記入力信号の品質評価値を算出することができるので、２次元再生信号をビタビ復号する際、その信号品質を信頼性高く評価することができるという効果を奏する。
【発明を実施するための最良の形態】
【００４０】
〔実施形態１〕
本発明の一実施形態について図１から図１１に基づいて説明する。図１は、実施形態１に係るホログラムメモリ再生信号評価システム２０の構成を示すブロック図である。ホログラムメモリ再生信号評価システム２０は、ホログラムメモリ再生装置１、２次元イコライザ２、および信号評価装置３によって構成される。
【００４１】
なお、図１に示す信号評価装置３は、特許請求の範囲に記載されている信号評価装置に対応している。
【００４２】
信号評価装置３は、２次元ＳＡＭ検出回路（ビタビ復号手段）４、理想信号生成部（理想信号生成手段）４０、２次元ＳＡＭ検出回路（理想パスメトリック差生成手段）７、抽出部（抽出手段、第１抽出手段）４５、品質評価回路（品質評価手段）５０を備えている。
【００４３】
そして、理想信号生成部４０は、テストビットメモリ５、ＰＲフィルタ６とを備えている。また、抽出部４５は、値範囲識別回路８と、平均値・標準偏差演算回路９とを備えている。そして、品質評価回路５０は、平均値・標準偏差演算回路９と、割算器１０とを備えている。
【００４４】
さて、図１に示すホログラムメモリ再生信号評価システム２０における再生および信号評価の動作について図２を用いて説明すると以下の通りである。図２は本実施形態１に係るホログラムメモリ再生信号評価システム２０の処理の流れを示すフローチャートである。
【００４５】
ステップＳ１においては、ホログラムメモリ再生装置１は既知のテストビットが記録されたホログラム媒体を再生する。すなわち、既知のテストビットに基づいて再生信号（入力信号）を出力する。ホログラムメモリ再生装置１における具体的な再生動作、すなわち、ホログラム媒体に再生参照光が照射されて受光素子から２次元の再生信号が出力される動作については、背景技術において説明されたとおりであり、また、その動作は本発明とは直接関係しないので詳細な説明は省略する。
【００４６】
前記のテストビットとしては、信号品質の評価値を求めるために十分なサンプル数を持ち、評価を適切に行えるように偏りのないパターン（通常はランダムパターン）が選ばれる。また、テストビットは予めホログラム媒体に記録されていてもよいし、信号品質の評価を行う前にホログラム媒体に記録するようにしてもよい。なお、テストビットがホログラムメモリの規格書で規定されていれば、異なるメーカーの装置間で共通のテストビットを用いることができるため、互換性が高まるなどの効果がある。
【００４７】
なお、テストビットメモリ５には、ホログラムメモリ再生装置１によって再生されるテストビットと同一のビットが記憶されている。そして、テストビットメモリ５にはビットを記憶するメモリなどを用意しておき、２次元再生信号の再生のタイミングに合わせて、それらのビットを読み出す。
【００４８】
また、テストビットメモリ５の代わりに線形シフトレジスタを利用した擬似ランダムパターン発生回路を用いる構成にしてもよい。これによってハード量を小さくすることができる。
【００４９】
また、ステップＳ１においては、ホログラムメモリ再生装置１から出力される２次元再生信号は、２次元イコライザ２によって波形等化が施される。２次元イコライザ２は２次元ＦＩＲ（Finite Impulse Response）フィルタなどで構成され、波形間干渉の除去などを行い、２次元再生信号を想定ＰＲ特性に近づける。
【００５０】
以上が、ステップＳ１におけるホログラムメモリ再生信号評価システム２０の再生処理である。
【００５１】
次に、ステップＳ２において、２次元ＳＡＭ検出回路４は、２次元再生信号（入力信号）に対してビタビ復号を行い、ビット毎のＳＡＭ値を出力する。ステップＳ２における２次元ＳＡＭ検出回路４の動作の具体的な説明は後述する。
【００５２】
次に、ステップＳ３において、２次元ＳＡＭ検出回路７は、ステップＳ２で出力されるＳＡＭ値に対応する理想ＳＡＭ値を出力する。具体的な処理を説明する。２次元再生信号に対応するテストビットがテストビットメモリ５から読み出されて、ＰＲフィルタ６を通過することによってＰＲ理想波形（パーシャルレスポンス特性理想波形信号）が出力される。ＰＲフィルタ６は、２次元ＳＡＭ検出回路４、７において想定しているＰＲ特性を持つＦＩＲフィルタである。このＰＲ理想波形に対して２次元ＳＡＭ検出回路７によりビタビ復号が行われ、理想ＳＡＭ値が出力される。２次元ＳＡＭ検出回路７の動作説明については、２次元ＳＡＭ検出回路４と同様であるので、併せて後述する。
【００５３】
次に、ステップＳ４において、理想ＳＡＭ値が所定範囲内、すなわち、Ｖ１以上Ｖ２未満（所定の値範囲）であるか否かが値範囲識別回路８により判定される。Ｖ１、Ｖ２は想定するＰＲ特性毎に定まる所定値であり、理想ＳＡＭ値を複数の群に分類するための範囲を規定する。図３に理想ＳＡＭ値の度数分布の一例を示す。理想ＳＡＭ値は非常に多くの種類を持っているが、幾つかの群に分類できることが分かる。ＳＡＭ値＜０とビタビ復号エラービット発生が対応するという性質から、値の小さな理想ＳＡＭ値に対応する再生信号はエラーを起こす確率が高いと言えるため、図３の例の場合、群１（所定の第１の値範囲）の理想ＳＡＭ値に対応する再生信号についてのＳＡＭ値を取り出して度数分布を作成すれば、エラーレートとの対応が高い評価を行うことができる。図３の場合、Ｖ１＝３０００、Ｖ２＝５０００程度に設定しておけば、群１の８８種類の理想ＳＡＭ値のみを取り出すことができる。
【００５４】
ステップＳ４で理想ＳＡＭ値が所定範囲内であると判定された場合、ステップＳ５に進んで、対応するＳＡＭ値が平均値・標準偏差演算回路９での演算対象とされる。具体的には、ＳＡＭ値と、仮平均値μ’に対するＳＡＭ値の二乗誤差が、それぞれ平均値μと仮標準偏差σ’の算出のために累積加算されていく。一方、ステップＳ４で理想ＳＡＭ値が所定範囲外であると判定された場合は、ステップＳ５の処理はスキップされる。このように、パターンに基づいて判別をするのではなく、対応する理想ＳＡＭ値の範囲に基づいて特定の群に属するＳＡＭ値を判別し、取り出すことができる。
【００５５】
次に、ステップＳ６にて、全テストビットに対するＳＡＭ値の出力が終了したか否かが判定される。未終了の場合はステップＳ２に戻るため、全テストビットについて終了するまでステップＳ２からＳ６の処理が繰り返される。
【００５６】
ステップＳ６にて終了判定がなされると、ステップＳ７に進む。ステップＳ７では、平均値・標準偏差演算回路９がμとσを算出し、割算器１０によってこれらの比σ／μが算出される。平均値μは、ステップＳ５で累積加算されたＳＡＭ値の合計を個数で割算することによって求められる。標準偏差σは、ステップＳ５で累積加算された仮平均値に対するＳＡＭ値の二乗誤差の合計を個数で割算して求めた仮標準偏差σ’を、正確に算出された平均値μによって式（１）で補正することによって求められる。なお、仮平均値μ’をある程度正確に見積もることができるならば、真の平均値μとμ’の誤差が小さくなりσ≒σ’となるので、仮標準偏差σ’を標準偏差σと見なして式（１）の補正を省略することによって、回路を簡略化してもよい。
【００５７】
【数１】
2008305457.tif 000003
【００５８】
以上の処理によって、最終的に、ホログラムメモリの再生信号の信号品質評価値としてσ／μを得ることができる。
【００５９】
なお、本実施形態においては、テストビットメモリ５、ＰＲフィルタ６、２次元ＳＡＭ検出回路７、値範囲識別回路８を用いて、リアルタイムに理想ＳＡＭ値を求めながらその値が所定範囲であるか否かを判定して特定の群に属するＳＡＭ値を取り出す構成であった。しかし、所定のテストビットを用いる場合、事前に理想ＳＡＭ値を求めておいて、各再生信号が特定の群に属するＳＡＭ値に対応するか否かを示すフラグマップを予め用意し、再生時にはこのフラグマップに基づいて特定の群に属するＳＡＭ値を取り出す構成としてもよい。
【００６０】
図４（ｃ）にフラグマップの一例を示す。図４（ａ）のテストビットの理想ＳＡＭ値が図４（ｂ）のように求められたとする。図３のようにＶ１＝３０００、Ｖ２＝５０００程度に設定すると、フラグマップは図４（ｃ）のように決まる。フラグの意味は、「１」が群１に属することを示し、「０」が群１に属さないことを示す。実際の信号評価装置では図４（ｃ）のフラグマップだけあれば、上記ステップＳ４で行われる判定と同等の判定が可能となる。従って、テストビットメモリ５、ＰＲフィルタ６、２次元ＳＡＭ検出回路７、値範囲識別回路８が不要となり、代わりにフラグマップを記憶するフラグマップメモリ４７（格納部）が必要となる。そして、フラグマップメモリ４７は、２次元再生信号の再生のタイミングに合わせて、上記フラグマップを読み出す。
【００６１】
図５にフラグマップメモリ４７を備えた信号評価装置３０の一例を示す。信号評価装置３０は、２次元ＳＡＭ検出回路４と、抽出部４６、品質評価回路５０とを備えている。
【００６２】
抽出部４６は、平均値・標準偏差演算回路９と、フラグマップメモリ４７とを備えている。また、品質評価回路５０は平均値・標準偏差演算回路９と割算器１０とを備えている。
【００６３】
フラグマップのデータ量はテストビットのデータ量と同じであるので、ＰＲフィルタ６、２次元ＳＡＭ検出回路７、値範囲識別回路８の分だけ回路規模を削減できる。特に２次元ＳＡＭ検出回路７は回路規模が大きいので、削減効果は大きなものとなる。更に、フラグマップをメモリに記憶する構成の代わりに、フラグマップ自体をホログラム媒体にデータとして記録しておき、最初にこれを再生してフラグマップを得る構成としてもよい。
【００６４】
次に、本実施形態に係る信号評価装置３によって、ビタビ復号におけるエラーレートに対応する信号品質評価値を求めることができる理由について詳細に説明する。図６（ａ）は、ステップＳ４にて取り出された群１の理想ＳＡＭ値に対応するＳＡＭ値の度数分布の一例を示す図である。３つの度数分布は再生信号の品質が異なり、ビットエラーレート（ＢＥＲ）がそれぞれ１Ｅ−５以下、１Ｅ−４、５Ｅ−３の場合を示している。図６（ａ）から分かるように、いずれの度数分布も正規分布に近い分布形状を持っている。
【００６５】
統計学によれば、平均値μと標準偏差σの正規分布においてｘ以下となる確率（累積相対度数）をＦ（ｘ）とすると、標準正規分布に対する累積密度関数Φ（ｚ）（式（２））とＦ（ｘ）との間には、式（３）の関係が成立する。
【００６６】
【数２】
2008305457.tif 000004
【００６７】
【数３】
2008305457.tif 000005
【００６８】
さて、ＳＡＭ値＜０とビタビ復号エラービット発生が対応するという性質から、ＳＡＭ値の度数分布において０より小さい部分の累積相対度数はエラーレートとの相関が非常に強い。図６（ａ）から分かるように、ＳＡＭ値がほぼ正規分布に近い分布形状を持っていることを考え合わせると、エラーレートは式（３）を用いてＦ（０）＝Φ（−μ／σ）としてかなり正確に推測することができる。
【００６９】
以上より、本実施形態に係るホログラムメモリ再生信号評価システム２０によって算出されるσ／μ（標準偏差と平均値の比）がビタビ復号におけるエラーレートと原理的に対応することが理論的に説明された。
【００７０】
以下では、２次元ＳＡＭ検出回路４の動作について詳細に説明する（２次元ＳＡＭ検出回路７の動作も全く同様である）。
【００７１】
（２次元ＳＡＭ検出回路４）
２次元ＳＡＭ検出回路４は、入力された２次元再生信号に対して、判定帰還ビタビ復号を適用する。そこで、２次元ＳＡＭ検出回路４が実行する判定帰還ビタビ復号について、以下に説明する。
【００７２】
この方法では、ページデータの横方向すなわち行方向に沿って、再生信号をビタビ復号する。具体的には、１行ずつ復号ビットを決定する処理を、１行ずつ下すなわち列方向にずらしながら行う。その際、判定帰還を行う。すなわち、直前の復号結果（フィードバック行）を、次行のビタビ復号に利用する。
【００７３】
判定帰還ビタビ復号法の概要を、図７および図８を参照して以下に説明する。図７は、判定帰還ビタビ復号法における想定ＰＲ特性のインパルス応答を示す図である。図８は、判定帰還ビタビ復号法を表現するトレリス線図である。
【００７４】
想定ＰＲ特性を、図７に示す３行３列の行列で表される２次元インパルス応答ｈとして表現する。トレリス状態は、２行２列の行列として定義される。トレリス線図は図８に示すように表現される。
【００７５】
なお、「２次元インパルス応答」とは、単位インパルス信号を線形システムに入力したときに当該線形システムが出力する出力信号を意味する。単位インパルス信号とは、（ａ）１ビットのみの信号レベルが１であり、（ｂ）それ以外のビットの信号レベルが全て０であるような２次元ビット行列を意味する。
【００７６】
図７の２次元インパルス応答ｈでは、信号レベルが中心の画素に生じている。それだけでなく、周辺の隣接画素においても生じている。すなわち、画素間干渉の発生が想定されている。
【００７７】
（トレリス状態）
トレリス状態を［ｋ、ｌ；ｍ、ｎ］で表記すると、ｋ、ｌ、ｍ、およびｎは、いずれも１ビットの値を取る。すなわち、いずれも０または１である。このことから、２の４乗＝１６種類のトレリス状態が存在することになる。図８に示したように、トレリス状態から次のトレリス状態へのブランチは、トレリス状態ごとに４本ずつある。同じく図８に示したように、トレリス状態に入力するブランチも、トレリス状態ごとに４本ずつある。
【００７８】
各ブランチが想定する想定波形レベルは、ブランチに繋がる２つのトレリス状態を結合した２行３列の行列に、その一つ上のフィードバック行を結合させた３行３列の行列によって決定される。フィードバック行の詳細については、後述する。
【００７９】
（想定波形レベルの一例）
以下に、［０、０；０、１］から［０、１；１、０］に繋がるブランチについて、一例として説明する。このブランチが想定するレベルは、その一つ上のフィードバック行が［１、１、０］であったとすると、行列［１、１、０；０、０、１；０、１、０］によって決定される。このとき、インパルス応答ｈと、行列［１、１、０；０、０、１；０、１、０］とを２次元畳み込み演算すると、０．３１になる。この値が、このブランチの想定波形レベルである。
【００８０】
判定帰還ビタビ復号処理は、ページデータにおける左から右に向かって、行方向に行われる。再生信号を行方向に走査することによって得られる波形を再生信号波形とすると、再生信号波形のレベルと、各ブランチの想定波形レベルとの二乗誤差は、ブランチメトリックと呼ばれる。すなわちブランチメトリックは、ブランチごとの値となる。また、各トレリス状態に至るパスの累積ブランチメトリックは、パスメトリックと呼ばれる。
【００８１】
判定帰還ビタビ復号法では、トレリス状態に入力する４本のパスのうちパスメトリックが最小のものを、生き残りパスとして残す。この処理をトレリス状態ごとに行い、かつ、行方向に繰り返す。これにより、所定時間だけ前（左方向）に遡れば、生き残りパスが１本に収束している。そこでこの生き残りパスを正解パスとして決定する。以上の処理に要する所定時間は、パスメモリ長と呼ばれる。
【００８２】
以上の過程は、従来の１次元ビタビ復号法と原理的に同じである。そこで、これ以上の詳細な説明は省略する。
【００８３】
（正解パスの取り扱い）
ただし判定帰還ビタビ復号法は、正解パスの取り扱いが１次元ビタビ復号と異なる。すなわち１次元ビタビ復号だと、正解パスがビット系列そのものに対応する。一方、２次元ビタビ復号では、正解パスが行列になる。したがって、正解パスは複数のビット行に対応する。以上の例では２行である。
【００８４】
これら２行のビット行のうち、２行目は、３行目以降のビット行からの影響が考慮されていない。すなわち画素間干渉の影響が部分的にしか考慮されてない。これにより信頼性
に乏しい。一方、１行目については、上下左右からの波形干渉が、全て考慮に入れられてビタビ復号されている。そこで１行目のみを復号ビットとして出力する。
【００８５】
行方向のビタビ復号によって、１行分のビット行が得られる。この処理を１行ずつ列方向（下方向）にずらしながら繰り返す。これにより、２次元再生信号の全体を復号する。
【００８６】
（判定帰還の導入）
ここに、判定帰還の考え方を導入する。判定帰還は、１つ上の行の復号結果をフィードバック行として、次の行のビタビ復号に反映させる手法である。具体的には以上に説明した通りである。すなわち１つ上の行の復号結果を、次の行のブランチの想定波形レベルを決める処理に用いる。これにより、復号結果を反映させる。
【００８７】
判定帰還の手順について、以下に、さらに詳しく説明する。最上端の行の、さらに上の行は「０」だとみなせる。そこで、最上行からの再生信号に基づいて情報を再生するときには、フィードバック行を全て０とする。
【００８８】
次に、上から２行目からの再生信号に基づいて情報を再生する。このとき、１行目（すなわち最上端の行）においてビット行が正確に復号されたと仮定する。そこでこれをフィードバック行として、２行目の復号に用いる。
【００８９】
さらに、上から３行目の行からの再生信号に基づいて再生する。このとき、２行目においてビット行が正確に復号されたと仮定する。そこでこれをフィードバック行として、３行目の復号に用いる。
【００９０】
以上のように、判定帰還ビタビ復号法では、現在の復号対象行の一つ上の行において、復号処理が正確になされたと仮定する。そこで一つ上の行の影響を考慮に入れつつ、列方向の判定帰還を行う。同時に、現在の行からの再生信号をビタビ復号する。すなわち列方向の画素間干渉の影響がより反映されたビタビ復号処理を実行する。
【００９１】
以上の処理によって、従来の１次元ビタビ復号処理、すなわち行方向のみの再生波形の変化を用いる処理をそのまま適用する処理に比べて、ビタビ復号をより正確に実行できる。
【００９２】
（２次元ＳＡＭ検出回路４の構成）
２次元ＳＡＭ検出回路４の構成について、図９を参照して以下に説明する。この図に示すように、２次元ＳＡＭ検出回路４は、２次元ビタビ復号回路１１、パス選択回路１２、および減算器１３を備えている。
【００９３】
（２次元ビタビ復号回路１１）
２次元ビタビ復号回路１１は、２次元再生信号を２次元ビタビ復号する。２次元再生信号における画素間干渉は、図７に示す３行３列の行列で表される、２次元インパルス応答ｈとして想定されている。また、トレリス状態は２行２列の行列として定義されている。
【００９４】
２次元ビタビ復号回路１１は、自己復号ビットに基づき正解トレリス状態を決定する。また、決定した正解トレリス状態に入力する４本のパスのパスメトリックを算出する。こうして、算出した４つのパスメトリックを、パス選択回路１２に出力する。
【００９５】
（パス選択回路１２）
パス選択回路１２は、入力された４つのパスメトリックから、正解パスのパスメトリックを選択する。このとき、２次元ビタビ復号回路１１から入力される復号ビットに基づき、選択するパスメトリックを決定する。さらに、選択した正解パスのパスメトリックを、減算器１３に出力する。
【００９６】
パス選択回路１２は、さらに、入力された４つのパスメトリックのうち、正解パスと異なる復号対象行を持つ誤りパスのうち、パスメトリックが最小のものを選択する。このときも、２次元ビタビ復号回路１１から入力される復号ビットに基づき、選択する誤りパスを決定する。パス選択回路１２は、このとき選択したパスメトリックを、誤りパスのパスメトリックとして、正解パスのパスメトリックと同様に減算器１３に出力する。
【００９７】
（減算器１３）
減算器１３は、入力された誤りパスのパスメトリックから、入力された正解パスのパスメトリックを減算する。これにより、ＳＡＭ値を算出する。
【００９８】
（トレリス線図の詳細）
本実施形態では、トレリス線図は、２次元ビタビ復号回路１１の動作を表現する。このトレリス線図は、図８に示すトレリス線図と同様である。たとえば、想定応答行列ｈにおける画素間干渉のビット幅は、３である。また、このトレリス線図には、判定帰還ビタビ復号法が適用されている。これにより、トレリス状態が２行２列の行列として定義されている。
【００９９】
２次元ビタビ復号回路１１は、復号対象行の一つ上の行に、フィードバック行を用いることができる。これにより、行の幅は３−１＝２となる。２行２列は合計で４ビットに相当する。そのためトレリス状態数は、２の４乗＝１６通りある。また、トレリス状態に入力するブランチは、トレリス状態ごとにいずれも４本である。さらに、トレリス状態から出力するブランチも、トレリス状態ごとにいずれも４本である。
【０１００】
（２次元ＳＡＭ検出回路４の動作）
２次元ＳＡＭ検出回路４の動作について説明する。
【０１０１】
２次元ビタビ復号回路１１は、図８のトレリス線図に基づいて、２次元再生信号を行方向にビタビ復号する。ここで、入力された記録ビットの２次元再生信号をｘとする。また、２次元再生信号に対応する想定波形レベルをｗとする。このとき２次元ビタビ復号回路１１は、ｘとｗとの二乗誤差（ｘ−ｗ）２を、ブランチメトリックとして算出する。
【０１０２】
さらに、トレリス状態ごとに算出したブランチメトリックを、ビタビ復号を始めてから、あるトレリス状態にパスが至る間での期間、累積する。これにより、トレリス状態ごとのブランチメトリックを累積した値である、パスメトリックを算出する。２次元ビタビ復号回路１１は、算出したパスメトリックに基づき生き残りパスを決定する。この復号動作と同時に、正解トレリス状態に入力する４本のパスの、パスメトリックをそれぞれ算出する。また、算出した４つのパスメトリックを、パス選択回路１２に出力する。
【０１０３】
（パスメトリック算出の具体例）
以上の具体例を、図１０に示すトレリス線図の遷移の一例を用いて説明する。図１０は、第ｍ行・第ｎ列の復号ビットが決定されるトレリス状態の遷移を示す図である。
【０１０４】
図１０において、２次元ビタビ復号回路１１から出力された復号ビットが、以下の状態であるとする。
【０１０５】
ｂ（ｍ、ｎ−２）＝０
ｂ（ｍ、ｎ−１）＝０
ｂ（ｍ、ｎ）＝１
ｂ（ｍ＋１、ｎ−２）＝０
ｂ（ｍ＋１、ｎ−１）＝０
ｂ（ｍ＋１、ｎ）＝０
このとき、第ｍ行・第ｎ列における正解トレリス状態は、［０、１；０、０］となる。したがって２次元ビタビ復号回路１１は、このトレリス状態［０、１；０、０］に入力する４本のパスのパスメトリックを出力する。具体的には、パスメトリックＰ０（ｎ）、Ｐ１（ｎ）、Ｐ２（ｎ）、Ｐ３（ｎ）を、パス選択回路１２に出力する。
【０１０６】
パス選択回路１２には、パスメトリックＰ０（ｎ）〜Ｐ３（ｎ）が入力される。同時に、２次元ビタビ復号回路１１から、復号ビットｂ（ｍ、ｎ−２）、ｂ（ｍ、ｎ−１）、ｂ（ｍ、ｎ）、ｂ（ｍ＋１、ｎ−２）、ｂ（ｍ＋１、ｎ−１）、ｂ（ｍ＋１、ｎ）が入力される。パス選択回路１２は、入力された各復号ビットに基づき、正解パスのパスメトリックを選択する。さらに、正解パスと異なる復号対象行を持つ誤りパスの中から、パスメトリックが最小の誤りパスを選択する。
【０１０７】
図１０の例の場合、正解パスは、トレリス状態［０、０；０、０］から［０、１；０、０］の遷移に対応するパスである。このときパスメトリックはＰ０（ｎ）である。誤りパスとして、
［０、０；１、０］から［０、１；０、０］へのパス
［１、０；０、０］から［０、１；０、０］へのパス
［１、０；１、０］から［０、１；０、０］へのパス
の３つが存在する。
【０１０８】
これらのうち、２番目と３番目の誤りパスは、正解パスの復号対象行［０、０、１］と異なる復号対象行［１、０、１］を持っている。そこでパス選択回路１２は、Ｐ２（ｎ）およびＰ３（ｎ）のうち、値が小さい方を誤りパスのパスメトリックとして選択する。たとえばＰ２（ｎ）＜Ｐ３（ｎ）であったとする。この場合、パス選択回路１２は、正解パスのパスメトリックとしてＰ０（ｎ）を選択する。さらに、誤りパスのパスメトリックとしてＰ２（ｎ）を選択する。パス選択回路１２は、選択したＰ０（ｎ）およびＰ２（ｎ）をいずれも減算器１３に出力する。
【０１０９】
（ＳＡＭ値の算出）
減算器１３は、入力された誤りパスのパスメトリックから、入力された正解パスのパスメトリックを差し引いて出力する。たとえば、減算器１３にＰ０（ｎ）およびＰ２（ｎ）が入力されたとする。このとき減算器１３は、ＳＡＭ値としてＰ２（ｎ）−Ｐ０（ｎ）を算出し、出力する。
【０１１０】
（２次元ＳＡＭ検出回路７）
２次元ＳＡＭ検出回路７の動作は２次元ＳＡＭ検出回路４と全く同様である。但し、入力される信号が異なり、２次元ＳＡＭ検出回路４ではホログラム媒体の再生信号が入力されるが、２次元ＳＡＭ検出回路７ではＰＲ理想波形が入力される。従って、２次元ＳＡＭ検出回路４からホログラム媒体の再生信号について求められたＳＡＭ値が出力されると同時に、２次元ＳＡＭ検出回路７からはそれに対応する理想ＳＡＭ値が出力される。
【０１１１】
本実施形態の信号評価装置３を、シミュレーションによって実装した。実装した信号評価装置３に、ノイズ量を変化させた２５６×２５６のテストビットの２次元再生信号を入力し、出力された信号品質評価値σ／μと、ビタビ復号結果のビットエラーレートとの関係を図１１に示す。図１１から、σ／μがビタビ復号結果のビットエラーレートと相関の強い信号品質評価値であることが確認できる。これより、出荷前の記録媒体のσ／μを評価して所定基準値以下の場合に合格と判定したり、記録装置や再生装置においてσ／μができるだけ小さくなるように各種調整を行うことで最適な調整を実現することが可能となる。
【０１１２】
〔実施形態２〕
実施形態１においては、２次元ＳＡＭ値の度数分布を特定する統計値として平均値μと標準偏差σを測定し、これらの比σ／μを信号品質評価値としていた。しかし、エラーレートとの相関が特に強いのは度数分布の広がりを示す標準偏差σであり、平均値μは、再生信号の振幅が想定ＰＲ波形レベルに合うように適切に調節されていれば、ほとんど所定値（群１の理想ＳＡＭ値の平均値）に近い値となる。したがって、実施形態１の平均値・標準偏差演算回路９から平均値μを求める機能を省略し、μの代わりに所定値Ｍ（予め群１の理想ＳＡＭ値の平均値として求めた所定の定数値）を用いてσ／Ｍを信号品質評価値としてもよい。これは、光ディスクシステムにおいて一般的に用いられているジッタの定義に近いものである。ジッタは、再生波形のエッジゆらぎを標準偏差として求め、クロック時間Ｔ（所定値）で除算して規格化した評価値であり、しきい値検出方式におけるエラーレートと理論的に相関が強い。実施形態２の構成は回路を簡略化できる長所があるので、システム設計に応じて適切な構成を選べばよい。
【０１１３】
〔実施形態３〕
実施形態１においては、理想ＳＡＭ値の複数の群のうち、最も０に近い群（図３の例では群１）のみを分類して、それに対応する２次元ＳＡＭ値の度数分布を特定する統計値として平均値μと標準偏差σを測定し、これらの比σ／μを信号品質評価値としていた。実施形態３では、理想ＳＡＭ値の最も０に近い群だけでなく複数の群に対応する度数分布についてそれぞれμとσを測定し、これらから推測ビットエラーレートを算出する構成について説明する。
【０１１４】
図１２は、実施形態３に係る信号評価装置３１の構成を示すブロック図である。実施形態１に係る信号評価装置３における構成要素と同等の機能を有する構成要素については同じ符号を与えて説明を省略する。
【０１１５】
信号評価装置３１は、信号評価装置３の構成に加えて、抽出部（第２抽出手段）４８を備えている。また、品質評価回路５１を備えている。
【０１１６】
抽出部４８は、値範囲識別回路１４と、平均値・標準偏差演算回路１５とを備えている。また、品質評価回路５１は、平均値・標準偏差演算回路９と、平均値・標準偏差演算回路１５と、推定ＢＥＲ計算回路１６とを備えている。
【０１１７】
値範囲識別回路１４は、値範囲識別回路８と同様の機能を持つが、識別する値の範囲が異なり、Ｖ２以上Ｖ３未満であるか否かを判定する。Ｖ２、Ｖ３は想定するＰＲ特性毎に定まる所定値であり、図３の例で説明すると、群２（所定の第２の値範囲）の理想ＳＡＭ値を分類するためにＶ２＝５０００、Ｖ３＝７５００程度に設定する。
【０１１８】
平均値・標準偏差演算回路１５は機能としては平均値・標準偏差演算回路９と同様であり、値範囲識別回路１４によって群２に属すると判定された理想ＳＡＭ値に対応するＳＡＭ値の度数分布の平均値μ２と標準偏差σ２を算出する。
【０１１９】
推定ＢＥＲ計算回路１６は、μ１、σ１、μ２、σ２から推定ビットエラーレート（入力信号の品質評価値）を算出する。算出方法については、後述する。
【０１２０】
なお、抽出部４８は第２抽出手段、値範囲識別回路１４はパスメトリック差群判定手段、平均値・標準偏差演算回路１５は統計値算出手段、推定ＢＥＲ計算回路１６は品質評価値算出手段にそれぞれ対応している。
【０１２１】
さて、図１２に示した上記構成の信号評価装置３１の動作を図１２および図１３を用いて説明すると以下の通りである。
【０１２２】
図１３は、本実施形態３に係る信号評価装置３１における処理の流れを示すフローチャートである。図２のフローチャートで示される実施形態１と同じ処理については詳細な説明を省略する。
【０１２３】
ステップＳ２１において、既知のテストビットが記録されたホログラム媒体を再生して２次元再生信号が出力される。ここでの処理は、実施形態１において説明した図２のステップＳ１と同じである。
【０１２４】
次に、ステップＳ２２において、２次元ＳＡＭ検出回路４により２次元再生信号に対してビタビ復号が行われて、ビット毎のＳＡＭ値が出力される。ステップＳ２２における２次元ＳＡＭ検出回路４の動作は図２のステップＳ２と同じである。
【０１２５】
次に、ステップＳ２３において、ステップＳ２で出力されるＳＡＭ値に対応する理想ＳＡＭ値が出力される。この動作は図２のステップＳ３と同じである。
【０１２６】
次に、ステップＳ２４において、値範囲識別回路８により理想ＳＡＭ値がＶ１以上Ｖ２未満であるか否かが判定される。これにより、図３における群１の８８種類の理想ＳＡＭ値のみを取り出すことができる。
【０１２７】
ステップＳ２４で理想ＳＡＭ値がＶ１以上Ｖ２未満であると判定された場合、ステップＳ２５に進んで、対応するＳＡＭ値が平均値・標準偏差演算回路９での演算対象とされる。ステップＳ２５の処理が終われば、ステップＳ２８に移る。一方、ステップＳ２４で理想ＳＡＭ値がＶ１以上Ｖ２未満の範囲にないと判定された場合は、ステップＳ２６に移る。
【０１２８】
ステップＳ２６では、値範囲識別回路１４により理想ＳＡＭ値がＶ２以上Ｖ３未満であるか否かが判定される。これにより、図３における群２の３５１種類の理想ＳＡＭ値のみを取り出すことができる。
【０１２９】
ステップＳ２６で理想ＳＡＭ値がＶ２以上Ｖ３未満であると判定された場合、ステップＳ２７に進んで、対応するＳＡＭ値が平均値・標準偏差演算回路１５での演算対象とされる。一方、ステップＳ２６で理想ＳＡＭ値がＶ２以上Ｖ３未満の範囲にないと判定された場合は、ステップＳ２８に移る。
【０１３０】
次に、ステップＳ２８にて、全テストビットに対するＳＡＭ値の出力が終了したか否かが判定される。未終了の場合はステップＳ２２に戻るため、全テストビットについて終了するまでステップＳ２２からＳ２８の処理が繰り返される。
【０１３１】
ステップＳ２８にて終了判定がなされると、ステップＳ２９に進む。ステップＳ２９では、平均値・標準偏差演算回路９がμ１とσ１を、平均値・標準偏差演算回路１５がμ２とσ２を、それぞれ算出し、推定ＢＥＲ計算回路１６にて推定ビットエラーレートが求められる。
【０１３２】
以上の処理によって、最終的に、ホログラムメモリの再生信号の信号品質評価値として推定ビットエラーレートを得ることができる。
【０１３３】
ここで、本実施形態に係る信号評価装置３１によって、ビタビ復号における推定ビットエラーレートを求めることができる理由について詳細に説明する。
【０１３４】
図６（ａ）はステップＳ２４にて取り出された群１の理想ＳＡＭ値に対応するＳＡＭ値の度数分布、図６（ｂ）はステップＳ２６にて取り出された群２の理想ＳＡＭ値に対応するＳＡＭ値の度数分布、の一例を示す図である。３つの度数分布は再生信号の品質が異なり、ＢＥＲがそれぞれ１Ｅ−５以下、１Ｅ−４、５Ｅ−３の場合を示している。図６（ａ）（ｂ）から分かるように、群１、群２いずれの度数分布も正規分布に近い分布形状を持っている。
【０１３５】
実施形態１と同様の理論により、群１の度数分布においてＳＡＭ値＜０となる累積相対度数はＦ１（０）＝Φ（−μ１／σ１）によって推測できる。また、群２の度数分布においてＳＡＭ値＜０となる累積相対度数はＦ２（０）＝Φ（−μ２／σ２）によって推測できる。
【０１３６】
ＳＡＭ値＜０とビタビ復号エラービット発生が対応するという性質から、群１に属する理想ＳＡＭ値に対応するパターンでのエラーレートはＦ１（０）に、群２に属する理想ＳＡＭ値に対応するパターンでのエラーレートはＦ２（０）にほぼ一致する。従って、全てのパターン、言い換えると全てのビットについてのエラーレートはＦ１（０）とＦ２（０）を合算することによって推測することができる。
【０１３７】
厳密に言えば、図３の群３、群４、など全ての群に属する理想ＳＡＭ値に対応するパターンでのエラーレートを合算する必要があるが、エラー発生は０に近い群に属するパターンにおけるものが支配的であるので、群１と群２のみについて合算することで、十分正確に推測することができると考えられる。
【０１３８】
また、厳密に言えば、１つのＳＡＭ値がマイナスとなる時にビタビ復号エラーが１ビットだけ発生するとは限らず、パターンによっては複数の復号エラービットを生じることもあり得るので、群１、群２に属する理想ＳＡＭ値に対応する復号エラービット数の期待値を別途測定しておいて、Ｆ１（０）とＦ２（０）の合算時に係数として掛けることによって反映させれば、より正確に推測が可能となる。更に合算時には、群１、群２に属するパターンの出現確率を係数として掛ける必要がある。出現確率は、使用するテストビットについて事前に調べておいて定数として実装してもよいし、再生時に値範囲識別回路８、１４によって出現度数をカウントするようにしてもよい。簡易的に群１と群２での復号エラービット数の期待値を共に１とし、群１のパターンの出現確率がＰ１、群２のパターンの出現確率がＰ２であるとすると、推定ビットエラーレートは式（４）によって算出される。
【０１３９】
推定ビットエラーレート ＝ Ｐ１×Ｆ１（０）＋Ｐ２×Ｆ２（０）    （４）
本実施形態３の信号評価装置３１を、シミュレーションによって実装した。実装した信号評価装置３１に、ノイズ量を変化させた２５６×２５６のテストビットの２次元再生信号を入力し、出力された推定ビットエラーレートと、ビタビ復号結果の実測ビットエラーレートとの関係を図１４に示す。図１４から、推測ビットエラーレートと実測ビットエラーレートが非常によく一致していることが確認できる。
【０１４０】
なお、ノイズ量が小さい場合に推測ビットエラーレートと実測ビットエラーレートとの差が大きくなっている。これは、推測ビットエラーレートが、正規分布の自然な広がりにより０以下となる確率を求めている、すなわち自然なノイズに起因するエラーのみを推測しているのに対し、実測ビットエラーレートにはそれに加えてディフェクトなど不自然なノイズに起因するエラーも含まれているためである。
【０１４１】
通常、ディフェクトによるエラーは多くても数ビット程度なので、エラーレートが悪い状況では自然なノイズによるエラー数の方がはるかに多いため影響を無視できるが、エラーレートが良い状況では、自然なノイズによるエラーがほとんど無いため、ディフェクトによるエラーの影響が大きく出てくる。
【０１４２】
しかしながら、本来、再生信号品質はディフェクトの影響を除いて評価することが望ましいものである。また、このシミュレーションの例だとテストビット総数は６５５３６ビットしかなく、１Ｅ−５以下のエラーレートは実測できない（エラー数０となる）ので、ある程度以上ノイズが少ない場合は信号品質の良し悪しが判別できなくなるが、推測ビットエラーレートなら非常に低いエラーレートも算出できる。したがって、記録装置や再生装置の各種調整などを推測ビットエラーレートに基づいて行えば、真に最適な調整を実現することが可能となる。
【０１４３】
〔実施形態４〕
実施形態１では、ホログラム媒体にあらかじめ所定のテストビットが記録されている。
【０１４４】
そしてホログラムメモリ再生装置１は、このテストビットを再生する。すなわち、ホログラム媒体には事前にテストビットを記録しておく必要がある。そのため次に示す２点の問題が生ずる。第１に、ホログラム媒体の利用効率が低くなる。第２に、実際の情報を記録したり再生したりすることによって生成した信号そのものの品質を、直接的に評価できない。
【０１４５】
本実施形態の信号評価装置３２は、以上の２点の問題を、自らのビタビ復号結果をフィードバックして用いることによって回避する。
【０１４６】
図１５は、信号評価装置３２の構成を示すブロック図である。信号評価装置３２と信号評価装置３とが異なる点を以下に記載する。すなわち、信号評価装置３２は、テストビットメモリ５がなく、その代わりに２次元ＳＡＭ検出回路４が復号ビットを出力する。そして、その復号ビットが理想信号生成部（理想信号生成手段）４１に入力される。そして、理想信号生成部４１はＰＲフィルタ６を含んでおり、前記復号ビットはＰＲフィルタ６を通過する。これにより、生成されたＰＲ理想波形が２次元ＳＡＭ検出回路７に入力される構成となっている点が信号評価装置３と異なる。ＰＲ理想波形の生成動作以外については、実施形態１で説明した信号評価装置３の動作と全く同一であるので、詳しい説明は省略する。
【０１４７】
この場合、２次元ＳＡＭ検出回路４がビタビ復号エラーを起こすと、誤ったＰＲ理想波形が生成され、結果として理想ＳＡＭ値の群が誤分類されることになる。しかし、一般的に評価対象とする信号品質は悪くてもせいぜいエラーレート１０−２台であり、その程度のエラーレートに対応して理想ＳＡＭ値の群分類を誤ったとしても、平均値や標準偏差の算出結果に与える影響はごく微小であるため、最終的な信号品質評価値σ／μの算出結果に与える誤差はほとんど無視できるほどに小さいと言える。
【０１４８】
その一方で、このような構成とすることで、テストビットメモリ５を省略することができると共に、テストビットを予めホログラム媒体に記録しておいたり、信号品質評価を行
う前にホログラム媒体に記録したりする手間が不要となる効果が得られる。更に、信号品質評価をテストビットに限らず任意のビットを対象にして行うことができる。
【０１４９】
なお、実施形態１から４においては、度数分布を特定する統計値として平均値と標準偏差を用いる例で説明したが、これに限るものではなく、例えば平均値の代わりに最頻値を用いたり、標準偏差の代わりに分散を用いたりするなど、度数分布を特定できる統計値であれば何を用いてもよい。本発明の主旨は、理想ＳＡＭ値を群毎に分類することによって、対応するＳＡＭ値の度数分布を分類し、それぞれの度数分布を特定する統計値に基づいて信号品質を評価することにある。
【０１５０】
また、実施形態１から４で説明した信号評価装置の各ブロックは、ハードウェアロジックによって構成してもよいし、次のようにコンピュータを用いてソフトウェアによって実現してもよい。
【０１５１】
すなわち、信号評価装置３、信号評価装置３１、および信号評価装置３２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである信号評価装置３、信号評価装置３１、および信号評価装置３２の制御プログラムのプログラムコード（実行形式プログラム、中間コードプログラム、ソースプログラム）をコンピュータで読み取り可能に記録した記録媒体を、上記信号評価装置３、信号評価装置３１、および信号評価装置３２に供給し、そのコンピュータ（またはＣＰＵやＭＰＵ）が記録媒体に記録されているプログラムコードを読み出し実行することによっても、達成可能である。
【０１５２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５３】
また、信号評価装置３、信号評価装置３１、および信号評価装置３２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５４】
このように本明細書において、手段とは必ずしも物理的手段を意味するものではなく、各手段の機能がソフトウェアによって実現される場合も含む。さらに、一つの手段の機能が二つ以上の物理的手段により実現されても、もしくは二つ以上の手段の機能が一つの物理的手段により実現されてもよい。
【０１５５】
また、上記いずれの実施形態においても、再生システムの例としてホログラムメモリシステムについて説明したが、これに限らず、２次元信号の再生を行うシステムにおいて等しくその効果を発揮することができる。すなわち、他の再生システムとしてＱＲコードに代表される２次元バーコード再生システムなどにも本発明を適用することができる。
【０１５６】
なお、先に本出願人は、２次元再生信号をビタビ復号するシステムに適したＳＡＭ値を新たに考案している（特願２００６−７５６８０）。２次元信号をビタビ復号する過程においては、図１６に示すように、トレリス線図の正解状態に1本の正解パスと複数の誤りパスが入力する。トレリス線図とはビタビ復号過程に対応する状態遷移図のことである。２次元信号の場合には、１本の正解パスに対応して複数の誤りパスが存在するが、正解パスが有する復号対象行と異なる復号対象行を有する誤りパスのうち最小のパスメトリックを持つ誤りパスを選んで、これと正解パスとのパスメトリック差をＳＡＭ値として求める点が大きな特徴である（１次元の場合は、1本の正解パスに1本の誤りパスが対応するので、単純に両者のパスメトリック差がＳＡＭ値と定義される）。パスメトリックとは、パスの理想信号に対する入力信号の誤差のことである。
【０１５７】
図１７の例の場合、正解状態［０，１；０，０］に入力する正解パスは［０、０；０、０］→［０、１；０、０］の遷移に対応するパスであり、そのパスメトリックはＰ０（ｎ）である（トレリス状態を［ｋ、ｌ；ｍ、ｎ］として表記する。［ｋ、ｌ；ｍ、ｎ］は、行ベクトル［ｋ、ｌ］および［ｍ、ｎ］を、列方向（上下）に並べた行列を意味する。以下でも、行列の表現はこの表記に準じる）。これに対応する誤りパスとしては、
［０、０；１、０］→［０、１；０、０］のパス
［１、０；０、０］→［０、１；０、０］のパス
［１、０；１、０］→［０、１；０、０］のパス
の３つが存在する。
【０１５８】
これらのうち、２番目と３番目の誤りパスは、正解パスの復号対象行［０、０、１］と異なる復号対象行［１、０、１］を持っているので、Ｐ２（ｎ）およびＰ３（ｎ）のうち値が小さい方、すなわちＰ２（ｎ）を誤りパスのパスメトリックとして選択する。結局、Ｐ２（ｎ）とＰ０（ｎ）の差である、０．３４−０．２７＝０．０７がＳＡＭ値として算出される。
【０１５９】
ビタビ復号過程においてエラーを発生させないためには、正解パスのパスメトリックが間違いパスのパスメトリックよりも小さい必要がある。すなわちＳＡＭ値＞０である必要がある。また、ＳＡＭ値が大きいほどエラーが発生しにくい。このように２次元信号をビタビ復号するシステムにおいて、ＳＡＭ値に基づいて再生信号の品質を信頼性高く評価することができる。
【０１６０】
しかしながら、トレリス線図が１次元に比べて複雑である２次元のビタビ復号におけるＳＡＭ値の場合、特にエラーを起こしやすい特定パターンは千種類以上もあり、対応する理想ＳＡＭ値も数十種類から多くて数百種類もある。従って、もしこれら千種類以上の特定パターンを検出する構成を装置で実現しようとすると、回路規模が極めて大規模なものとなってしまうため、現実的には不可能である。
【０１６１】
上述したように、本実施の形態の構成により、２次元信号をビタビ復号するシステムにおいて、回路規模を大規模なものとすることなく、ＳＡＭ値に基づいて再生信号の品質を信頼性高く評価することができる。
【０１６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれることはもちろんである。
【産業上の利用可能性】
【０１６３】
本発明の信号評価装置及び信号評価方法によれば、２次元信号をビタビ復号する装置において、エラーレートとの相関性が非常に高い指標値を用いて、記録媒体や記録装置、再生装置を評価したり、その評価結果に基づいて出荷前製品の信頼性の高い合否判定や各種調整を行うことが可能であり、２次元信号を再生するホログラムメモリ再生装置、ＱＲコードに代表される２次元バーコード再生装置、などに適用できる。
【図面の簡単な説明】
【０１６４】
【図１】実施形態１のホログラムメモリ再生信号評価システムの構成を示すブロック図である。
【図２】図１のホログラムメモリ再生信号評価システムにおいて２次元再生信号の品質評価値としてσ／μを算出する処理の流れ示すフローチャートである。
【図３】理想ＳＡＭ値の度数分布の一例を示す図である。
【図４】フラグマップの一例を示す図である。
【図５】実施形態１のホログラムメモリ再生信号評価システムの他の構成を示すブロック図である。
【図６】各群の理想ＳＡＭ値に対応するＳＡＭ値の度数分布の一例を示す図である。
【図７】判定帰還ビタビ復号法における想定インパルス応答を示す図である。
【図８】判定帰還ビタビ復号法を表現するトレリス線図である。
【図９】２次元ＳＡＭ検出回路の構成を示すブロック図である。
【図１０】トレリス状態［０、１；０、０］に入力する４本のブランチについてのトレリス状態の遷移を示す図である。
【図１１】σ／μとビットエラーレートとの関係のシミュレーション結果を示す図である。
【図１２】実施形態３に係る信号評価装置の構成を示すブロック図である。
【図１３】図１２の信号評価装置において２次元再生信号の品質評価値として推定ビットエラーレートを算出する処理の流れ示すフローチャートである。
【図１４】推定ビットエラーレートと実測ビットエラーレートとの関係のシミュレーション結果を示す図である。
【図１５】実施形態４に係る信号評価装置の構成を示すブロック図である。
【図１６】２次元ビタビ復号のトレリス線図を示す図である。
【図１７】従来のホログラムメモリ記録再生装置の構成を示すブロック図である。
【符号の説明】
【０１６５】
１  ホログラムメモリ再生装置
２  ２次元イコライザ
３、３０、３１、３２  信号評価装置
４  ２次元ＳＡＭ検出回路（ビタビ復号手段）
５  テストビットメモリ
６  ＰＲフィルタ
７  ２次元ＳＡＭ検出回路（理想パスメトリック差生成手段）
８、１４  値範囲識別回路（パスメトリック差群判定手段）
９、１５  平均値・標準偏差演算回路（品質評価手段、統計値算出手段）
１０  割算器（品質評価手段、品質評価値算出手段）
１１  ２次元ビタビ復号回路
１２  パス選択回路
１３  減算器
１６  推定ＢＥＲ計算回路（品質評価手段、品質評価値算出手段）
４０、４１  理想信号生成部（理想信号生成手段）
４５  抽出部（抽出手段、第１抽出手段）
４６  抽出部（抽出手段）
４７  フラグマップメモリ（格納部）
４８  抽出部（第２抽出手段）
５０、５１  品質評価回路（品質評価手段）
【図１】
2008305457.tif 000006
【図２】
2008305457.tif 000007
【図３】
2008305457.tif 000008
【図４】
2008305457.tif 000009
【図５】
2008305457.tif 000010
【図６】
2008305457.tif 000011
【図７】
2008305457.tif 000012
【図８】
2008305457.tif 000013
【図９】
2008305457.tif 000014
【図１０】
2008305457.tif 000015
【図１１】
2008305457.tif 000016
【図１２】
2008305457.tif 000017
【図１３】
2008305457.tif 000018
【図１４】
2008305457.tif 000019
【図１５】
2008305457.tif 000020
【図１６】
2008305457.tif 000021
【図１７】
2008305457.tif 000022